(57)【要約】【課題】可変表示装置の大型化に伴い、遊技領域のうち電飾、各種入賞口ならびに風車及び遊技くぎその他の障害物の配列や数が制限されても、拡開弁が開口した時の間口を小さくすることなく、また、拡開弁に向けて落下して来るパチンコ球が、拡開弁の花弁形状部の可動に起因して弾き飛ばされてしまうのを防止し、もって入賞の機会を増大すること。【解決手段】弾球遊技機の遊技盤に設けられた始動口４ｂの入り口４０を拡大又は縮小する入賞口拡開部４２を備える入賞装置４１であって、入賞口拡開部４２は、一対の拡開弁４０２，４０２からなり、始動口４ｂの入り口４０に対し当該一対の拡開弁４０２，４０２が所定角度を持ってその延長線上で交叉する直線往復運動をすることにより始動口４ｂの入り口４０を拡大又は縮小し、当該入り口を拡大するにあたり、前記一対の拡開弁４０２，４０２は、始動口４ｂの入り口４０よりも下方に向けて末広がりに可動する。【選択図】図４
2006263331.tif 000002
【特許請求の範囲】
【請求項１】
弾球遊技機の遊技盤に設けられた所定の入賞口の入り口を拡大又は縮小する入賞口拡開部を備える入賞装置であって、
前記入賞口拡開部は、一対の拡開弁からなり、前記入賞口の入り口に対し当該一対の拡開弁が所定角度を持ってその延長線上で交叉する直線運動をすることにより前記入賞口の入り口を拡大又は縮小し、
当該入り口を拡大するにあたり、前記一対の拡開弁は、前記入賞口の入り口よりも下方に向けて末広がりに移動することを特徴とする遊技機の入賞装置。
【請求項２】
前記一対の拡開弁が末広がりに動くにあたり当該一対の拡開弁の下端が鉛直方向において移動する範囲を前記入賞口の丈寸法の範囲内とし、前記一対の拡開弁の作動により前記入賞口の入り口の拡大を開始するときの当該一対の拡開弁の位置を当該一対の拡開弁の初期位置とし、この初期位置を起点として前記一対の拡開弁は移動し、前記初期位置から最大に移動した時に前記入賞口の入り口を最大に拡大することを特徴とする請求項１に記載の遊技機の入賞装置。
【請求項３】
遊技盤に設けられる前記所定の入賞口の入り口よりも大きな入り口を有する入賞口に適用されることを特徴とする請求項１又は２に記載の遊技機の入賞装置。
【請求項４】
請求項１から３のいずれかに記載の入賞装置を用いた弾球遊技機。
【発明の詳細な説明】
【技術分野】
【０００１】
本発明は遊技球を媒体にした遊技を提供する遊技機の入賞装置に関する。  
【背景技術】
【０００２】
この種の遊技機として、例えば、風適法（風俗営業等の規則及び業務の適正化等に関する法律）の内規上「第１種」に区分されるパチンコ遊技機が知られている。
【０００３】
このパチンコ遊技機は、液晶表示ユニット等で構成される可変表示装置を遊技板の中央に備え、始動口への入賞を契機にこの可変表示装置の有効ライン上に、例えば「１」〜「７」等の数字や絵柄等で構成される図柄を種々の演出を踏まえて表示することで、現在の遊技状態を遊技者に告知し、また所定の図柄が揃うことで大当たりとなり、遊技者にとって有利なゲーム展開となる。
【０００４】
また、遊技球が打ち出される遊技領域を有する遊技板には、前記可変表示装置の周囲に風車及び遊技くぎその他の障害物が設けられ、遊技板の上部に打ち出された遊技球は、これら障害物との接触によって、その進路が不規則に変化しながら遊技板の下方に落下して行く。そしてその途中には，保留球ランプ，盤面ランプその他の電飾，始動入賞口，通常入賞口，大入賞口，スルーチャッカ等が適宜配置され、前記障害物である風車及び遊技くぎを通過して始動入賞口や大入賞口に入賞すれば、賞球と共に可変表示装置の画面上で演出が実行され、通常入賞口に入賞すれば、各種電飾が効果音と共に点灯・点滅しながら規定数の賞球が払い出される。
【特許文献１】特開２００３−２９０４７８
【特許文献２】特開２００１−２９３１６４
【発明の開示】
【発明が解決しようとする課題】
【０００５】
ところで、近年の可変表示装置で表出される演出は、極めて精細、緻密であり、ストーリー性に富んでいるので、演出を見ることを目的として遊技する遊技者も少なくない。このため、可変表示装置は大型化され、遊技者にとって利便性を高めている。
ところが、可変表示装置が大型化しても、遊技板その物の大きさは変わらないので、遊技板のうち可変表示装置の周囲に配置されている電飾，各種入賞口ならびに風車及び遊技くぎその他の障害物の配列や数が制限される。
【０００６】
図８に示すような、いわゆるチューリップと称される、普通電動役物（以下チューリップ）３００が取り付けられている入賞口３０４にあっては、その拡開弁である花弁形状部３０２が開くことにより、入賞口３０４の間口Ｗ１を拡開する。花弁形状部３０２は、入賞口３０４やいわゆるスルーチャッカに入賞することで開くが、当該拡開にあたり花弁形状部３０２は、図８のチューリップ３００が閉じている直立状態を起点に、そこから図９のように左右の花弁形状部３０２が基点部３０２Ｂを中心に弧を描くように開く。この関係上、花弁形状部３０２の可動領域の大きさは、花弁形状部３０２の長さに比例する。
【０００７】
また、チューリップ３００の丈寸法は、図８に示すように、花弁形状部３０２の丈Ａと入賞口３０４の丈Ｂとを加算したものとなる。
しかしながら、既述のように、可変表示装置の大型化に伴い、電飾、各種入賞口ならびに風車及び遊技くぎその他の障害物の配列や数が制限されるため、花弁形状部３０２もその大きさ（長さ）が制限される傾向にある。するとチューリップ３００が開いた時の間口
Ｗ２も小さくならざるを得ない。
【０００８】
また、チューリップ３００に向けて落下して来たパチンコ球が、開弁する直前又は直後の花弁形状部３０２に当たると、パチンコ球は、花弁形状部３０２によって外側に弾き飛ばされてしまう虞がある。その場合、遊技者は、せっかくの入賞のチャンスを逃してしまうことになる。
【０００９】
そこで、本発明はこのような技術的背景を考慮してなされたもので、その解決しようとする課題は、可変表示装置の大型化に伴い、遊技領域のうち電飾、各種入賞口ならびに風車及び遊技くぎその他の障害物の配列や数が制限されても、拡開弁が開口した時の入賞口の間口を小さくすることなく、また、拡開弁に向けて落下して来るパチンコ球が、拡開弁の花弁形状部の可動に起因して弾き飛ばされてしまうのを効果的に抑制し、もって入賞の機会を増やすことにある。
【課題を解決するための手段】
【００１０】
そこで本発明は、上記課題を解決するために以下の手段を採用した。
【００１１】
すなわち、本発明は、弾球遊技機の遊技盤に設けられた所定の入賞口の入り口を拡大又は縮小する入賞口拡開部を備える入賞装置であって、前記入賞口拡開部は、一対の拡開弁からなり、前記入賞口の入り口に対し当該一対の拡開弁が所定角度を持ってその延長線上で交叉する直線運動をすることにより前記入賞口の入り口を拡大又は縮小し、当該入り口を拡大するにあたり、前記一対の拡開弁は、前記入賞口の入り口よりも下方に向けて末広がりに移動することを特徴とする。
【００１２】
本発明の入賞装置としては、例えばパチンコ遊技機の場合で述べれば、始動口や大入賞口に適用されるのが好ましい。
【００１３】
本発明の入賞装置によれば、一対の拡開弁は、前記特定の入賞口の入り口に対し当該一対の拡開弁が所定角度を持ってその延長線上で交叉する直線運動をする。また、前記特定の入賞口の入り口を拡大するにあたり、前記一対の拡開弁は、前記入賞口の入り口よりも下方に向けて末広がりに可動する。したがって、前記一対の拡開弁が交叉状に動くにあたり当該一対の拡開弁の鉛直方向における移動範囲を前記入賞口の丈寸法の範囲内とし、前記一対の拡開弁により前記入賞口の入り口が縮小されたときの当該一対の拡開弁の位置を当該一対の拡開弁の初期位置とし、この初期位置を起点として前記一対の拡開弁は、当該初期位置から前記移動距離の範囲内でのみ移動し、前記初期位置から最大に移動した時の拡開弁の位置を拡開位置とし、当該拡開位置にある時、前記入賞口の入りが最大に拡大されるものとする。
【発明の効果】
【００１４】
本発明によれば、入賞口の入り口に対し当該一対の拡開弁が所定角度を持ってその延長線上で交叉する直線運動をするので、拡開弁が延長線上で直線運動をしたときのその移動量に比べ、当該移動時に拡開弁の鉛直方向における移動量は小さい。これは矩形の対角線の長さに比して長辺および短辺が短いことを考えれば容易に判る。
【００１５】
一対の拡開弁は下方に向けて末広がりに開くので、入賞口に設置された入賞装置が拡開位置で開口した時の間口は、入賞装置が初期位置で開口したときの間口よりも広く取れる。よって可変表示装置の大型化に伴い、遊技領域のうち電飾、各種入賞口ならびに風車及び遊技くぎその他の障害物の配列や数が制限されても、特定の入賞口の間口が制限されにくくなる。
【００１６】
また、一対の拡開弁が下方に動くにあたっての鉛直方向における移動範囲は、最大でも前記入賞口の丈寸法の範囲内であるから、入賞装置を含む入賞口の丈寸法の大きさも自ずと制限される。したがって、コンパクト化を図れるため、可変表示装置の大型化により遊技領域が狭まっても好適に使用できる。
【００１７】
さらに、一対の拡開弁は、これが作動する時は下方に向けて末広がりに開き、間口を拡開する。
作動している一対の拡開弁にパチンコ球が当たれば、パチンコ球は拡開弁に弾かれて入賞の機会を失ってしまうが、特定の入賞口に向けてパチンコ球が落下する場合は、当該落下に連れ、既述のように間口は拡開するので、パチンコ球は入賞し易くなる。したがって、遊技者は、入賞の機会を確保し易くなる。
【００１８】
そして、特定の入賞口に向けて遊技球が落下しても一対の拡開弁もまた下方に向けて移動するので、一対の拡開弁は、落下してくるパチンコ球から逃げるようになる。このため、一対の拡開弁が可動したことに起因してパチンコ球が弾き飛ばされてしまうことも少なくなる。したがって、遊技者は、入賞の機会をそれだけ増やせる。
【発明を実施するための最良の形態】
【００１９】
以下、図面を参照して本発明に係る遊技機の好適な実施形態を説明する。
本実施の形態では、風営適正化法（風俗営業等の規則及び業務の適正化等に関する法律）の内規上「第１種」に区分されるパチンコ遊技機を例示して説明する。
【００２０】
図１に示すように、パチンコ遊技機１は、外枠２と、外枠２に回動自在に設けられている本体枠３と、本体枠３に着脱可能に固定されパチンコ球が打ち出される遊技領域を有する遊技盤４と、本体枠３に回動自在に設けられ遊技盤４の前面を覆うガラス扉５と、本体枠３に回動自在に設けられガラス扉５の下方に位置する下扉６と、パチンコ遊技機内部に配置されパチンコ球を一発ずつ遊技盤４に向けて発射する発射装置２６１と、ガラス扉５よりも上方に配置され、必要に応じて点滅する報知用ランプ７と、報知用ランプ７の左右方に配置されている一対のスピーカ８と、下扉６に配置され貸球および賞球を貯留する受け皿３０２と、下扉６に配置され前記発射装置２６１を作動させる操作ハンドル１０，発射装置２６１で打ち出す貸球および賞球を受け皿３０２に払い出す、パチンコ遊技機内部に設けられている球払出装置３０５等を備えている。
【００２１】
遊技盤４は、図２に示すように、特別図柄表示装置（可変表示装置）４ａ，特定入賞口である始動口４ｂおよび保留球ランプ４ｃ，盤面ランプ４ｄ，通常入賞口４ｆ，大入賞口４ｇ，風車４ｈおよびスルーチャッカ４ｉ等を備えている。
【００２２】
特別図柄表示装置４ａは、始動口４ｂへの入賞（以下、始動口入賞）があった場合に作動するものであり、３つの区画領域４ａ１，４ａ２，４ａ３を有し、これらの区画領域４ａ１，４ａ２，４ａ３に各種図柄が表示されることで、パチンコ遊技機１に特有の演出が実行される。そして、当該演出により現在の遊技状態を遊技者に示唆する。
【００２３】
図柄としては、例えば１から１０までの数字（識別情報）を例示できる。そして、これらの数字が区画領域４ａ１，４ａ２，４ａ３ですべて同じ数で揃えば、遊技者にとって有利な特別遊技状態である大当たりとなり、多量のパチンコ球を獲得できる。
【００２４】
前記入賞口４ｂ，４ｆ，４ｇには、後述する各種賞球検知センサが設けられている。そして、これら入賞口をパチンコ球４３が通過すると、当該賞球検知センサが作動して、次に述べる制御装置２０（図３参照）に入賞信号が送られる。
図３に示すように、制御装置２０は、大当たり判定その他遊技に係る主要な制御を行う
主制御装置３０と、主制御装置３０から出力されたコマンドに基づいて作動する副制御装置３２とを有する。
【００２５】
主制御装置３０および副制御装置３２には、電源装置２９から電流が供給される。
主制御装置３０並びに副制御装置３２には、それぞれ図示しないＣＰＵ（Ｃｅｎｔｒａｌ  Ｐｒｏｃｅｓｓｉｎｇ  Ｕｎｉｔ），ＲＯＭ（Ｒｅａｄ  Ｏｎｌｙ  Ｍｅｍｏｒｙ）およびＲＡＭ（Ｒａｎｄｏｍ  Ａｃｃｅｓｓ  Ｍｅｍｏｒｙ）が備えられている。
【００２６】
前記入賞口通過球検知センサその他の各種センサの出力信号は、主制御装置３０に送られ、当該出力信号に基づいて主制御装置３０から副制御装置３２に各種コマンド信号が送られる。当該送信により、副制御装置３２が作動し、電飾，音声又は入賞装置の制御を行い、具体的には、特別図柄表示装置４ａ，保留球ランプ４ｃ，盤面ランプ４ｄ，報知用ランプ７，スピーカ８，発射装置２６１，球払出装置３０５，例えば始動口４ｂに装着されている後述する入賞装置４１等が作動する。なお、電飾，音声又は入賞装置等をまとめて作動部と呼称し、符号３４で示す。
【００２７】
図４及び図５は、始動口（特定の入賞口）４ｂの正面図を示す。
始動口４ｂには、始動口４ｂの入り口４０を拡大又は縮小する入賞口拡開部４２を備える入賞装置４１が取り付けられている。
【００２８】
入賞口拡開部４２は、一対の拡開弁４０２，４０２からなり、始動口４ｂの入り口４０に対し当該一対の拡開弁４０２，４０２が所定角度を持ってその延長線Ｌ上で交叉する直線往復運動をすることにより前記入り口４０を拡大又は縮小する。この実施例では、当該入り口４０を拡大するにあたり、一対の拡開弁４０２，４０２は、入り口４０よりも下方に向けて末広がりに移動する。一対の拡開弁４０２，４０２は、既述したチューリップ３００の花弁形状部３０２に相当する。
【００２９】
拡開弁４０２は四角柱状をしており、その一縁に設けられたラック部４４１が、ピニオン４４３と螺合し、ピニオン４４３の回転によって駆動する。ピニオン４４３は駆動モータ４４４によって回転する。
また、拡開弁４０２の一端（この場合は、下端）にはバネ４４５がガイド体４４７に内嵌された状態にある。
【００３０】
図４は拡開弁４０２によって始動口４ｂの入り口４０が縮小された状態（図８の従来例で示したチューリップ３００が閉じた状態であり、これを初期位置とする。）を示し、図５は同拡大された状態（図９の従来例で示したチューリップ３００が最大に開いた状態であり、これを拡開位置とする。）を示す。図４から図５の状態に移行するに連れてバネは弾性エネルギを蓄えて行き、拡開弁４０２をこの蓄えたエネルギを利用して拡開位置から初期位置に容易に移動できるようにしている。
また、拡開弁４０２をガイド体４４７に内嵌することで、拡開弁４０２，４０２が所定角度を持ってその延長線Ｌ上で交叉する直線往復運動をすることを確保する。
【００３１】
図６は、図５の左側断面図である。
図中符号４４９ａ，４４９ｂで示すものは、拡開弁４０２の進行を制限し、始動口４ｂの入り口４０が規定以上に開かないようにするためのストッパーである。ストッパー４４９ａは拡開弁４０２に取り付けられ、ストッパー４４９ｂは遊技盤４に植立され、ストッパー４４９ａと対向する位置関係にある。そして、拡開弁４０２が初期位置から拡開位置に来ると両ストッパー４４９ａおよび４４９ｂは当接し、ストッパー４４９ａ（拡開弁４０２）のそれ以上の進行を阻止する。ストッパー４４９ａがストッパー４４９ｂに当接する位置が、拡開位置である。また、一対の拡開弁４０２，４０２の下端が鉛直方向におい
て移動する範囲を始動口４ｂの丈寸法Ｘ（図４及び図５参照）の範囲内としてある。
【００３２】
図７は、拡開弁４０２を駆動するための電気回路を示す図である。
始動口４ｂの賞球検知センサ４５０がパチンコ球を検知してその信号が制御装置２０に送られると、副制御装置３２からは駆動モータ４４４を駆動するコマンド信号が出力され、当該コマンド信号は、スイッチ部４５２を経由して駆動モータ４４４を駆動する（よって、賞球検知センサ４５０から出る信号は、駆動モータ４４４を駆動するための駆動信号といえる。）。この結果、一対の拡開弁４０２，４０２は、ガイド体４４７に案内されながら、初期位置から拡開位置にまで移動し、もって、始動口４ｂの入り口４０よりも下方に向けて末広がりに可動するようになる。
【００３３】
そして、一対の拡開弁４０２，４０２の各ストッパー４４９ａがストッパー４４９ｂに当接すると、当該当接を検知するストッパー当接検知センサ４５１が作動し、ストッパー当接検知センサ４５１から停止信号が制御装置２０に送られ、駆動モータ４４４を自動的に停止し、拡開弁４０２のそれ以上の進行を阻止する。その後、スイッチ駆動モータ４４４の駆動力がなくなるとバネ４４５の復帰力によって、拡開弁４０２，４０２は初期位置に戻る。
【００３４】
なお、ガイド体４４７には、拡開弁４０２が下方に移動する際にラック部４４１と干渉しないようにガイド体４４７の長手方向に切り溝（図示せず）が設けられている。
【００３５】
ストッパー当接検知センサ４５１は、ストッパー４４９ｂの近傍に設けてもよいが、ストッパー４４９ａがストッパー４４９ｂに接触すると、電気信号が流れるようにしておき、これによって両者の接続を検出するというように、ストッパー４４９ａ及びスッパー４４９ｂ自体を検知センサとしてもよい。
【００３６】
このように始動口４ｂに既述した入賞装置４１が取り付けられたパチンコ遊技機１にあっては、次のような作用効果を奏する。
【００３７】
始動口４ｂの入り口４０に対し当該一対の拡開弁４０２，４０２が所定角度を持ってその延長線Ｌ上で交叉する直線往復運動をするとともに当該一対の拡開弁４０２，４０２は下方に向けて末広がりに開くので、拡開弁４０２が延長線Ｌ上で直線運動をしたときのその移動量に比べ、当該移動時に拡開弁４０２が鉛直方向において移動する量は小さい。これは矩形の対角線の長さに比して長辺および短辺が短いことを考えれば容易に判る。
【００３８】
一対の拡開弁４０２，４０２は、下方に向けて末広がりに開くので、始動口４ｂに設置された入賞装置４１が拡開位置で開口した時の間口Ｗ２を初期位置で開口したときの間口Ｗ１よりも広く取れる。よって特別図柄表示装置４ａの大型化に伴い、遊技領域のうち電飾、各種入賞口ならびに風車及び遊技くぎその他の障害物の配列や数が制限されても、始動口４ｂの間口が制限されにくくなる。
【００３９】
また、一対の拡開弁４０２，４０２の下端が下方に動くにあたっての鉛直方向において移動する範囲は、最大でも始動口４ｂの丈寸法Ｘの範囲内であるから、入賞装置４１を含む始動口４ｂの丈寸法の大きさも自ずと制限される。したがって、コンパクト化を図れるため、可変表示装置の大型化により遊技領域が狭まっても好適に使用できる。
【００４０】
さらに、一対の拡開弁４０２，４０２はこれが作動する時は、下方に向けて末広がりに開き、間口Ｗ１をＷ２に向けて拡開する。作動している一対の拡開弁４０２，４０２にパチンコ球４３が当たれば、パチンコ球４３は拡開弁４０２，４０２に弾かれて入賞の機会を失ってしまうが、始動口４ｂに向けてパチンコ球４３が落下する場合、当該落下に連れ
、既述のように間口Ｗ１はＷ２に向けて拡開するので、パチンコ球４３は入賞し易くなる。したがって、遊技者は、入賞の機会を確保し易くなる。
【００４１】
また、始動口４ｂに向けてパチンコ球４３が落下しても一対の拡開弁４０２，４０２もまた下方に向けて移動するので、一対の拡開弁４０２，４０２は、落下してくるパチンコ球４３から逃げるようになる。このため、一対の拡開弁４０２，４０２が可動したことに起因してパチンコ球４３が弾き飛ばされてしまうことも少なくなる。したがって、遊技者は、入賞の機会をそれだけ増加することができる。
【００４２】
尚、本発明は、上述の図示例にのみ限定されるものではなく、本発明の要旨を逸脱しない範囲内において種々変更を加え得ることは勿論である。
例えば始動口４ｂの入り口４０よりも大きな入り口を有する大入賞口４ｇに入賞装置４１を適用することもできる。なお始動口４ｂの場合、一対の拡開弁４０２，４０２の間口Ｗ１があったが、大入賞口４ｇは大当たりしたときのみ全開しそれ以外は全閉しているので、これを考慮して一対の拡開弁４０２，４０２を設置することもできる。
【図面の簡単な説明】
【００４３】
【図１】本発明に係る遊技機が適用されるパチンコ遊技機の外観を示す斜視図である。
【図２】図１のパチンコ遊技機の遊技盤の正面図である。
【図３】入賞装置の作動を制御する電子制御系の概念を示すブロック図である。
【図４】始動口の初期位置での正面拡大図である。
【図５】始動口が拡開位置にある時の正面拡大図である。
【図６】図５の左側断面図である。
【図７】入賞装置を作動するための電気回路を示す図である。
【図８】従来技術を説明するための図であり、パチンコ遊技機のチューリップが閉じた状態を示す図である。
【図９】従来技術を説明するための図であり、パチンコ遊技機のチューリップが開いた状態を示す図である。
【符号の説明】
【００４４】
１  パチンコ遊技機（弾球遊技機）
２  外枠
３  本体枠
４  遊技盤
４ａ  特別図柄表示装置（可変表示装置）
４ａ１，４ａ２，４ａ３  区画領域
４ｂ  始動口（特定の入賞口）
４ｆ  入賞口
４ｇ  入賞口（所定の入賞口）
４ｃ  保留球ランプ
４ｄ  盤面ランプ
４ｆ  通常入賞口
４ｇ  大入賞口
４ｈ  風車
４ｉ  スルーチャッカ
５  ガラス扉
６  下扉
７  報知用ランプ
８  スピーカ
１０  操作ハンドル
１１  導入口
１７ａ  始動口
２０  制御装置
２１  主制御装置
２９  電源装置
４０  始動口の入り口
４１  入賞装置
４２  入賞口拡開部
４３  パチンコ球
６０  副制御装置
２６１  発射装置
３００  チューリップ
３０２  花弁形状部
３０２Ｂ  基点部
３０４  入賞口
３０５  球払出装置
４０２  拡開弁
４４１  ラック部
４４３  ピニオン
４４４  駆動モータ
４４５  バネ
４４７  ガイド体
４４９ａ  ストッパー
４４９ｂ  ストッパー
４５０  賞球検知センサ
Ａ  花弁形状部の丈
Ｂ  入賞口の丈
Ｗ１  始動口の初期位置での間口
Ｗ２  始動口の拡開位置での間口
Ｘ  始動口の丈寸法
【図１】
2006263331.tif 000003
【図２】
2006263331.tif 000004
【図３】
2006263331.tif 000005
【図４】
2006263331.tif 000006
【図５】
2006263331.tif 000007
【図６】
2006263331.tif 000008
【図７】
2006263331.tif 000009
【図８】
2006263331.tif 000010
【図９】
2006263331.tif 000011